(57)【要約】【課題】冊子を構成する用紙の紙質や厚みにかかわらず、冊子の背面の糊の付着状態および横糊の付着状態を最適な状態とすることができるようにすること。【解決手段】容器６内の糊を付着して回転する糊付けドラム７と、冊子Ｐを挟持して糊付けドラム７上を通過するクランパ４とを備え、クランパの糊付けドラム７上の通過によりクランパに挟持した冊子の背面部に糊付けドラムに付着した糊を塗布してなる冊子の背糊塗布装置において、クランパ４に挟持した冊子Ｐの中間部が糊付けドラムの頂部に到達したとき、糊付けローラ７の周速度を冊子Ｐの移動速度に対して増速する。これにより、一度の塗布で、冊子の背面の糊の付着状態および前後両側の横糊の付着状態を最適な状態とすることができる。【選択図】  図１
2010179459.tif 000002
【特許請求の範囲】
【請求項１】
製本用の糊を貯留する容器と、前記容器内の糊を付着して回転する糊付けドラムと、冊子を挟持して前記糊付けドラム上を通過するクランパとを備え、前記クランパの前記糊付けドラム上の通過により前記クランパに挟持した冊子の背面部に前記糊付けドラムに付着した糊を塗布してなる冊子の背糊塗布装置において、前記糊付けドラムを回転駆動するモータと前記クランパを移動駆動するモータとをそれぞれ設けるとともに、前記クランパに挟持した冊子が前記糊付けドラムを通過する間、前記糊付けローラの周速度を前記冊子の移動速度に対して変化させてなることを特徴とする冊子の背糊塗布装置。
【請求項２】
糊付けドラムの周速度をクランパに挟持した冊子の移動速度よりも遅くするとともに、クランパに挟持した冊子の中間部が前記糊付けドラムを通過したとき、前記糊付けローラの周速度を前記冊子の移動速度よりも速く変化させてなることを特徴とする請求項１に記載の冊子の背糊塗布装置。
【請求項３】
糊付けドラムの周速度をクランパに挟持した冊子の移動速度よりも速くするとともに、クランパに挟持した冊子の中間部が前記糊付けドラムを通過したとき、前記糊付けローラの周速度を前記冊子の移動速度よりも遅く変化させてなることを特徴とする請求項１に記載の冊子の背糊塗布装置。
【発明の詳細な説明】
【技術分野】
【０００１】
本発明は、冊子の背糊塗布装置に関するものである。
【背景技術】
【０００２】
丁合機などによりページ順に集めて作成した冊子の背面に糊を塗布し、その背面に表紙を貼り付けて製本する無線綴じ製本機は良く知られている。図４はこのような製本機の一例を示すもので、この製本機は、クランパ４を表紙貼付け機５の位置に停止させ、一対のクランプ板４ａ、４ｂの間隔を開く、その間に冊子を、その背面を表紙貼付け機５の底板５ａに載せて挿入し、その後、一対のクランプ板４ａ、４ｂを閉じてその冊子をクランパ４に保持する。ついでモータ９を駆動し、その駆動により回転する送りねじ軸１０が回転し、クランパ４の保持枠４ｃをガイド棒１１に沿ってホットメルト糊を貯溜した糊容器６側へ移動し、糊付けドラム７上を通過させる。
【０００３】
このとき、糊付けドラム７はモータ８の回転で回転軸７ａおよび歯車７ｂを介してその周面に糊を付着してクランパ４の移動方向と同方向にしており、一対のクランプ板４ａ、４ｂに挟持した冊子の背面の糊付けドラム７上を通過することによりその背面に糊が塗布される。塗布終了後、モータ９およびモータ８の回転を反転しクランパ４を表紙貼付け機５の位置に、再度糊付けドラム７上を通過して停止する。このとき、表紙貼付け機５の一対のニッピング板５ｂ上には表紙がセットされており、一対のニッピング板５ｂおよび底板ａを上昇させ、その表紙を一対のクランプ板４ａ、４ｂに挟持した冊子の糊が塗布された背面に押し当てて貼付け、一対のニッピング板５ｂの間隔を狭めて冊子の背面近傍の側面を両側から挟圧して背固めする。ついで、一対のニッピング板５ｂを開き、一対のニッピング板５ｂおよび底板ａを下降させ、またクランプ板４ａ、４ｂを開いて表紙を貼り付けた冊子を取り出し、次の冊子の挿入まで待機するように構成されている。
【０００４】
ところで、冊子の背面には、冊子の背面およびその背面近傍の側面全面にわたって適量の糊を塗布する必要がある。特に表紙を張り付ける場合には、冊子の背面のみの糊付けでは、貼り付けた表紙が根本まで開き製本強度が弱くなるので、冊子の背面の両側の近傍側面にも糊（以下、この側面に付着する糊を横糊という。）が付けられる。この横糊が多い場合には、表紙のふくらみが残り、表紙を開くと糊が見え体裁の悪い製本となる。そこで、上記の製本機では、クランパの移動速度、つまり冊子の移動速度に対して糊付けドラムの周速度を速く設定している。このように設定すると、糊付けドラム上を通過する冊子の移動方向に対して後端となる冊子の背面の近傍側面に横糊を付着することができる。
【先行技術文献】
【特許文献】
【０００５】
【特許文献１】特開２００２−１２７６３５号公報
【発明の概要】
【発明が解決しようとする課題】
【０００６】
しかし、上記の従来の製本機における糊の塗布では、冊子の移動速度と糊付けローラの周速度との比を設定することにより、冊子を構成する用紙の紙質や厚みに応じた適切な横糊を付着させることができる。しかし、適切な横糊を付着させるために、冊子の移動速度と糊付けドラムの周速度との比を設定すると、糊付けドラムの周速度が速すぎるため、冊子の背面の糊の付着状態に不具合を発生する場合があるという課題がある。
【０００７】
発明が解決しようとする課題は、冊子を構成する用紙の紙質や厚みにかかわらず、冊子の背面の糊の付着状態および横糊の付着状態を最適な状態とすることができるようにし、斯かる課題を解消する点にある。
【課題を解決するための手段】
【０００８】
上記の課題を解決するために、本発明は、製本用の糊を貯留する容器と、前記容器内の糊を付着して回転する糊付けドラムと、冊子を挟持して前記糊付けドラム上を通過するクランパとを備え、前記クランパの前記糊付けドラム上の通過により前記クランパに挟持した冊子の背面部に前記糊付けドラムに付着した糊を塗布してなる冊子の背糊塗布装置において、前記糊付けドラムを回転駆動するモータと前記クランパを移動駆動するモータとをそれぞれ設けるとともに、前記クランパに挟持した冊子が前記糊付けドラムを通過する間、前記糊付けドラムの周速度を前記冊子の移動速度に対して変化させてなることを特徴とする。
【発明の効果】
【０００９】
本発明は、クランパに挟持した冊子が前記糊付けドラムを通過する間、前記糊付けドラムの周速度を前記冊子の移動速度に対して変化、例えば、糊付けドラムの周速度をクランパに挟持した冊子の移動速度よりも遅くした状態から、クランパに挟持した冊子の中間部が糊付けドラムを通過した時点で糊付けローラの周速度を前記冊子の移動速度よりも速くすることにより、冊子の背面の糊の付着状態および両端の横糊の付着状態を最適な状態とすることができる。
【図面の簡単な説明】
【００１０】
【図１】本発明の実施例１における製本機の構成を示す側面図である。
【図２】図１に示す製本機における糊付け動作説明図である。
【図３】本発明の実施例１における冊子の仕上がり状態を示す側面図である。
【図４】従来の製本機の構成を示す斜視図である。
【実施例１】
【００１１】
本発明の実施例１に係る冊子の背糊塗布装置について、図１〜図３を参照して説明する。図１に示す実施例１における製本機は、クランパ４がパルスモータ１に連結され、往復移動する搬送チェーン２に固定されている点で図４に示す製本機と相違するが、その余の機構は図４に示す製本機と同一である。なお、符号３は糊の糸引きを断ち切るスクレープローラを示している。
【００１２】
図１に示す製本機では、クランパ４が表紙貼付け機５の底板５ａの真上に位置して停止し、一対のクランプ板（図示なし）と一対のニッピング板５ｂが所定量（冊子の厚みに応じた量）開いているとき、一対のクランプ板間に冊子Ｐを、その背面を底板５ａに載せて挿入して一対のクランプ板を閉じてその冊子Ｐをクランパ４に保持する。ついでパルスモータ１を駆動する。その駆動によりクランパ４を固定した搬送チェーン２はホットメルト糊を貯溜した糊容器６側へこの例では速度５８．１ｍｍ／ｓｅｃで移動する。また、糊付けドラム７はクランパ４の移動方向と同方向に周速度５６．５ｍｍ／ｓｅｃで回転しており、このクランパ４の移動速度つまり冊子Ｐの移動速度と糊付けドラム７は周速度の速度差により、冊子Ｐの移動方向に対する先端の背面近傍の側面に適量の糊（横糊）が塗布される。
【００１３】
クランパ４に挟持した冊子Ｐの移動方向に対する中間部が図２（ａ）に示すように、糊付けドラム７の頂点部に到達すると、糊付けドラム７の周速度を６５．０ｍｍ／ｓｅｃと増加して冊子Ｐを、糊付けドラム７を通過させる（図２（ｂ））。この冊子Ｐの移動速度と糊付けドラム７の周速度の速度差により、冊子Ｐの移動方向に対する後端の背面近傍の側面に適量の糊（横糊）が塗布され、また、冊子Ｐの背面にもほぼ均一に適量の糊（横糊）が塗布される。
【００１４】
冊子Ｐが糊付けドラム７を通過し終えると、パルスモータ１および糊付けドラム７の回転方向を反転する。このパルスモータ１の反転で、クランパ４を固定した搬送チェーン２はホットメルト糊を貯溜した糊容器６側へ再度速度５８．１ｍｍ／ｓｅｃで移動する。また、糊付けドラム７はクランパ４の移動方向と同方向に周速度５９．４ｍｍ／ｓｅｃで回転しており、このクランパ４の移動速度つまり冊子Ｐの移動速度と糊付けドラム７は周速度の速度差により、冊子Ｐの移動方向に対する先端の背面近傍の側面には糊（横糊）が塗布されない。
【００１５】
クランパ４に挟持した冊子Ｐの移動方向に対する先端が図２（ｃ）に示すように、糊付けドラム７の頂点部に到達すると、糊付けドラム７の周速度を５３．７ｍｍ／ｓｅｃと減少して冊子Ｐを、糊付けドラム７を通過させる（図２（ｄ））。この冊子Ｐの移動速度と糊付けドラム７の周速度の速度差により、冊子Ｐの移動方向に対する後端の背面近傍の側面には糊（横糊）が塗布されない。しかし、冊子Ｐの背面に、より均一に糊が塗布される。また、ドラム７の周速度の低減により、糊の糸引きを素早く断ち切ることができる。
【００１６】
そして、冊子Ｐが糊付けドラム７を通過し終えると、クランパ４は表紙貼付け機５の位置に戻る。このとき、表紙貼付け機５の一対のニッピング板５ｂ上には表紙Ｈがセットされており、一対のニッピング板５ｂおよび底板ａを上昇させ、その表紙Ｈを一対のクランプ板４ａ、４ｂに挟持した冊子の糊が塗布された背面に押し当てて貼付け、一対のニッピング板５ｂの間隔を狭めて冊子の背面近傍の側面を両側から挟圧して背固めする。ついで、一対のニッピング板５ｂを開き、一対のニッピング板５ｂおよび底板ａを下降させ、またクランプ板４ａ、４ｂを開いて表紙Ｈを貼り付けた冊子Ｐを取り出し、この状態で次の冊子の挿入まで待機する。
【００１７】
なお、糊付けドラム７の周速度を切り替え時期は、表紙貼付け機５と糊付けドラム７との距離および糊付けドラム７とクランパ反転させる位置をそれぞれパル数に換算して記憶しておき、パルスモータ１がその数分回転したときとしている。
【００１８】
以上の冊子Ｐの背面部の糊付けにより、図３に示すように冊子Ｐの背面に付着した糊７ａ、横糊７ｂが適量であり、冊子の背面の糊の付着状態および横糊の付着状態を最適な状態となっている。
【００１９】
以上の実施例では、挟持した冊子の移動方向に対する先端が糊付けドラムの頂点部に到達する一点で糊付けドラムの周速度を変更しているが、クランパに挟持した冊子が糊付けドラムを通過する間、冊子の厚みなどに応じて複数の点で糊付けドラムの周速度を変更するようにしてもよい。この場合、冊子の厚みなどに応じたきめ細かく塗布具合を調整することができる。また、以上の実施例では、クランパの往復移動で二度塗りを行っているが、一方向での一度塗りにおいても本発明は適用できる。
【符号の説明】
【００２０】
１  パルスモータ
２  搬送チェーン
４  クランパ
５  表紙貼付け機
７  糊付けドラム
Ｈ  表紙
Ｐ  冊子
【図１】
2010179459.tif 000003
【図２】
2010179459.tif 000004
【図３】
2010179459.tif 000005
【図４】
2010179459.tif 000006